(57)【要約】【課題】本発明は、携帯電話機及び写真印刷自動販売機に関し、特に写真印刷自動販売機に対する操作を行うことなく、写真画像の印刷処理や決済処理を可能とする携帯電話機及び写真印刷自動販売機自動販売を提供するものである。【解決手段】携帯電話機を使用し、写真印刷自動販売機との間で赤外線通信、又はブルートゥース（ＢＬＵＥＴＯＯＴＨ）通信を行い、当該通信によって印刷画像の選択や印刷枚数の指定を行い、写真印刷自動販売機に写真印刷を自動的に行わせると共に、写真印刷自動販売機にネットワークを介して接続されたサーバが携帯電話機から送られた情報を基に決済処理を行い、容易かつ効率よく写真印刷を行うものである。【選択図】　図１
2004086886.tif 000002
【特許請求の範囲】
【請求項２】
前記写真印刷自動販売機に対して、写真選択情報、及び印刷枚数情報も送信されることを特徴とする請求項１記載の携帯電話機。
【請求項３】
撮影手段付き携帯電話機との間で通信を行い、該携帯電話機から送信される写真画像を受信する赤外線通信手段と、
該赤外線通信手段によって受信した写真画像を印刷する印刷手段と、
を有することを特徴とする写真印刷自動販売機。
【請求項４】
前記携帯電話機から、写真選択情報、及び印刷枚数情報も送信されることを特徴とする請求項２記載の写真印刷自動販売機。
【請求項５　】赤外線通信手段を有する携帯電話機であって、
該携帯電話機は、サーバにネットワークを使用して接続された写真印刷自動販売機と前記赤外線通信手段を使用して通信を行い、
写真印刷情報を前記写真印刷自動販売機に送信し、写真印刷自動販売機に印刷処理を行わせると共に、前記サーバと写真印刷自動販売機間で決済処理を行わせることを特徴とする携帯電話機。
【請求項６】
赤外線通信手段を有する携帯電話機から送信される写真印刷情報に従って写真印刷を行う写真印刷自動販売機であり、
前記写真印刷情報に基づいて写真印刷を行うと共に、ネットワークを介してサーバとの間で通信を行い、サーバとの間で決済処理を行うことを特徴とする写真印刷自動販売機。
【請求項７　】携帯電話に装備された赤外線通信手段を介して撮影画像情報を写真印刷自動販売機に送信し、前記画像の印刷処理を行う写真印刷自動販売システムにおいて、
前記携帯電話は、
印刷すべき画像の発注依頼情報を入力するための案内を表示する第１の表示手段と、
前記発注依頼情報を入力する操作入力手段と、
入力された発注依頼情報を前記赤外線通信手段を介して写真印刷自動販売機に送信する送信手段とを備え、
前記写真印刷自動販売機は、
前記携帯電話より受信した画像情報を表示する第２の表示手段と
前記操作入力手段より入力した発注依頼情報を記憶する記憶手段と、
該記憶手段に記憶された発注依頼情報に基づいて指定された前記撮影画像情報を印刷処理する印刷処理手段と、
を備えることを特徴とする写真印刷自動販売システム。
【請求項８　】携帯電話に装備された赤外線通信手段を介して撮影画像情報を写真印刷自動販売機に送信し、前記画像の印刷処理を行う写真印刷自動販売システムにおいて、
前記携帯電話は、
印刷すべき画像の発注依頼情報を入力するための案内を表示する第１の表示手段と、
前記発注依頼情報を入力する操作入力手段と、
入力された発注依頼情報を前記赤外線通信手段を介して写真印刷自動販売機に送信する送信手段とを備え、
前記写真印刷自動販売機は、
装填された記憶媒体から読み出された画像情報または前記携帯電話より受信した画像情報を表示する第２の表示手段と
写真印刷自動販売機に現金投入することによって受付された発注依頼情報及び前記携帯電話から赤外線通信手段を介して入力された複数の発注依頼情報を同時に記憶する記憶手段と、
該記憶手段に記憶された発注依頼情報に基づいて指定された撮影画像情報を指定された数量だけ順次印刷処理する印刷処理手段と、
を備えることを特徴とする写真印刷自動販売システム。
【発明の詳細な説明】
【０００１】
【発明の属する技術分野】
本発明は携帯電話機、及び当該携帯電話機を使用する写真印刷自動販売機からなる写真印刷自動販売システムに関する。
【０００２】
【従来技術】
今日、街中や建物内に配設された写真印刷自動販売機によって写真印刷を自動的に行うことができる。この写真印刷自動販売機は、例えばデジタルカメラ等で撮像データを記録し、該画像データを記録した記憶媒体を写真印刷自動販売機の記録メディア挿入口に挿入し、印刷画像や印刷枚数の指定を行い、料金の投入処理を行って写真出力を得る。
【０００３】
また、特許文献１には、上記メディアスロットに装着された記録媒体が複数ある場合、予め設定された一連の順序でデータを読み出し、所望の画像を自動的に再生する装置が提案されている。
【０００４】
【特許文献１】特開２０００−２７２１７６号公報
【０００５】
【発明が解決しようとする課題】
しかしながら、上記従来の場合、印刷画像や印刷枚数の指定等はユーザが手作業で行う必要がある。このため、従来の写真印刷自動販売機においては写真の印刷処理に煩雑な作業が必要であった。
【０００６】
また、特許文献１の発明についても、ユーザは料金投入を行わなければならず煩雑な作業が必要であり、更に現金の持ち合わせがない場合写真印刷自動販売機を使用することができない。
本発明は上記課題に鑑み、携帯電話機に設けられた通信機能を使用し、写真印刷自動販売機の操作を行い、また決済処理を行うことによって利便性のよい携帯電話機、及び写真印刷自動販売機からなる写真印刷自動販売システムを提供するものである。
【０００７】
【課題を解決するための手段】
上記課題は請求項１記載の発明によれば、撮影手段と、写真印刷自動販売機との間で通信を行い、前記撮影手段で撮影した写真画像を前記写真印刷自動販売機に送信する赤外線通信手段とを有する携帯電話機を提供することによって達成できる。
【０００８】
このように構成することにより、撮影手段によって撮影した写真画像を赤外線通信を利用して写真印刷自動販売機に送信し、自動的に写真印刷処理を行わせることができる。
請求項２の記載は、前記請求項１記載の発明において、前記写真印刷自動販売機に対して、写真選択情報、及び印刷枚数情報も送信される構成である。
【０００９】
このように構成することにより、ユーザは写真印刷自動販売機を直接操作することなく、印刷を希望する写真や、その枚数の情報を写真印刷自動販売機に入力することができる。
上記課題は請求項３記載の発明によれば、撮影手段付き携帯電話機との間で通信を行い、該携帯電話機から送信される写真画像を受信する赤外線通信手段と、該赤外線通信手段によって受信した写真画像を印刷する印刷手段とを有する写真印刷自動販売機を提供することによって達成できる。
【００１０】
このように構成することにより、写真印刷自動販売機は赤外線通信を介して携帯電話機から写真画像を受信し、自動的に写真印刷を行うことができる。
請求項４の記載は、前記請求項３記載の発明において、前記携帯電話機から、写真選択情報、及び印刷枚数情報も送信される構成である。
【００１１】
このように構成することにより、ユーザは写真印刷自動販売機を直接操作することなく、希望する写真を希望する枚数分印刷出力することができる。
上記課題は請求項５記載の発明によれば、赤外線通信手段を有する携帯電話機であって、該携帯電話機は、サーバにネットワークを使用して接続された写真印刷自動販売機と前記赤外線通信手段を使用して通信を行い、写真印刷情報を前記写真印刷自動販売機に送信し、写真印刷自動販売機に印刷処理を行わせると共に、前記サーバと写真印刷自動販売機間で決済処理を行わせる携帯電話機を提供することによって達成できる。
【００１２】
このように構成することにより、写真印刷自動販売機への料金投入操作を行うことなく、携帯電話機から送信する情報によって自動的に決済処理を行うことが可能となる。
上記課題は請求項６記載の発明によれば、赤外線通信手段を有する携帯電話機から送信される写真印刷情報に従って写真印刷を行う写真印刷自動販売機であり、前記写真印刷情報に基づいて写真印刷を行うと共に、ネットワークを介してサーバとの間で通信を行い、サーバとの間で決済処理を行う写真印刷自動販売機を提供することによって達成できる。
【００１３】
このように構成することにより、写真印刷自動販売機への料金投入操作を行うことなく、決済処理が可能となり、より容易に写真画像の印刷処理が可能となる。
上記課題は請求項７記載の発明によれば、携帯電話に装備された赤外線通信手段を介して撮影画像情報を写真印刷自動販売機に送信し、前記画像の印刷処理を行う写真印刷自動販売システムにおいて、前記携帯電話は、印刷すべき画像の発注依頼情報を入力するための案内を表示する第１の表示手段と、前記発注依頼情報を入力する操作入力手段と、入力された発注依頼情報を前記赤外線通信手段を介して写真印刷自動販売機に送信する送信手段とを備え、前記写真印刷自動販売機は、前記携帯電話より受信した画像情報を表示する第２の表示手段と、前記操作入力手段より入力した発注依頼情報を記憶する記憶手段と、該記憶手段に記憶された発注依頼情報に基づいて指定された前記撮影画像情報を印刷処理する印刷処理手段とを備えることを特徴とする写真印刷自動販売システムを提供することによって達成できる。
【００１４】
このように構成することにより、写真印刷自動販売機は赤外線通信を介して携帯電話機から写真画像を受信し、受信した写真画像を写真印刷自動販売機のディスプレイに表示させながら、印刷する画像の選択出力或いは印刷枚数お指定入力を行わせることができ、この発注依頼情報に従って、自動的に写真印刷を行うことができる。
【００１５】
上記課題は請求項８記載の発明によれば、携帯電話に装備された赤外線通信手段を介して撮影画像情報を写真印刷自動販売機に送信し、前記画像の印刷処理を行う写真印刷自動販売システムにおいて、前記携帯電話は、印刷すべき画像の発注依頼情報を入力するための案内を表示する第１の表示手段と、前記発注依頼情報を入力する操作入力手段と、入力された発注依頼情報を前記赤外線通信手段を介して写真印刷自動販売機に送信する送信手段とを備え、前記写真印刷自動販売機は、装填された記憶媒体から読み出された画像情報または前記携帯電話より受信した画像情報を表示する第２の表示手段と、写真印刷自動販売機に現金投入することによって受付された発注依頼情報及び前記携帯電話から赤外線通信手段を介して入力された複数の発注依頼情報を同時に記憶する記憶手段と、該記憶手段に記憶された各発注依頼情報に基づいて指定された撮影画像情報を指定された数量だけ順次印刷処理する印刷処理手段とを備えることを特徴とする写真印刷自動販売システムを提供することによって達成できる。
【００１６】
このように構成することにより、携帯電話を介して入力した写真画像及び装填された記憶媒体から直接写真印刷自動販売機に入力した写真画像を、同時に複数の発注依頼情報として記憶手段に格納し、各々の発注依頼情報に基づいて自動的に写真印刷を行うことができる。
【００１７】
【発明の実施形態】
以下、本発明の実施の形態を図面を参照しながら説明する。
＜第１の実施形態＞
図１は本発明で使用する写真印刷自動販売機の外観構成を示す図である。同図に示す写真印刷自動販売機１は、例えば街角やオフィースビルの建物内などに配設されている。写真印刷自動販売機１の正面には表示／操作部（ディスプレイ＆タッチパネル）２、キー入力部３、記録メディア挿入口４（４ａ〜４ｅ）、ＬＥＤ５（５ａ〜５ｅ）、金額表示部６、料金挿入口７（７ａ、７ｂ）、中止ボタン８、レシート挿入口９、レシート排紙口１０、料金返却口１１、及び取り出し口１２が設けられている。尚、上記各構成はマニュアル操作の際必要な操作部であり、本例で使用するブルートゥース（ＢＬＵＥＴＯＯＴＨ）通信では不要な構成であるが、全ての場合にブルートゥース（ＢＬＵＥＴＯＯＴＨ）通信を使用するものではないので、全体構成として説明する。
【００１８】
表示／操作部（ディスプレイ＆タッチパネル）２は、液晶ディスプレイの表示部と、液晶ディスプレイに表示されるキーや、ボタン、アイコン等を例えば指で操作する操作部で構成されている。表示／操作部（ディスプレイ＆タッチパネル）２には、例えばデジタルカメラ等で撮影した画像情報がサムネイル表示され、有料モード又は無料モードの選択アイコン等も表示される。また、表示／操作部（ディスプレイ＆タッチパネル）２の上記表示に従って、例えばユーザはサムネイル表示された画像情報を選択し個別に印刷枚数の指定操作を行い、また有料モード又は無料モードの選択操作等を行う。尚、これらの入力操作についてはキー入力部３によっても同様に行うことができる。
【００１９】
本例の写真印刷自動販売機１には上記ブルートゥース（ＢＬＵＥＴＯＯＴＨ）通信を行うための電波の受信部１３が設けられている。この受信部１３に、向けて後述する携帯電話機から写真印刷情報を送信する。
記録メディア挿入口４ａ〜４ｅは、複数種の記録メディア（情報記憶媒体）の挿入口であり、例えばフラッシュメモリカードの挿入口４ａ、スマートメディアカードの挿入口４ｂ、メモリースティックの挿入口４ｃ、ＰＣカードの挿入口４ｄ、フレキシブルディスクの挿入口４ｅである。
【００２０】
ＬＥＤ５ａ〜５ｅは、各記録メディア挿入口４ａ〜４ｅに対応して設けられたもので、各記録メディア挿入口４に対応する記録メディアが挿入されているときに、それに対応するＬＥＤ５が点灯するものである。例えば、メモリスティックが挿入されているときには、それに対応するＬＥＤ５ｃが点灯し、これによりユーザはメモリスティックが挿入されていることを確認できる。
【００２１】
尚、ブルートゥース（ＢＬＵＥＴＯＯＴＨ）通信を使用する場合、携帯電話機から直接写真印刷画像データが写真印刷自動販売機１に送られるので、この場合上記表示／操作部（ディスプレイ＆タッチパネル）２に表示を行う。
また、料金挿入口７及び料金返却口１０は写真印刷自動販売機１を有料で使用する場合に使用する構成であり、料金挿入口７ａから紙幣を挿入し、料金挿入口７ｂから硬貨を投入する。この構成も、決済処理をサーバ側で行う場合不要であるが、マニュアル操作が必要である場合もあるので本構成も示す。
【００２２】
また、取り出し口１２は印刷出力を取り出すボックスであり、印刷されたプリント用紙（写真）は取り出し口１２に集められる。この取り出し口１２の扉は、記録メディアが抜き取られない状態ではロック機構が働いて、印刷物を取り出せない構造になっており、購入者が記録メディアを販売機に挿入したまま忘れて立ち去ることを防止している。
【００２３】
図２は上記自動写真販売機１内部のシステム構成を説明する図である。本システムは、メインコントローラ３０を中心に周辺回路、及びプリンタユニット２３で構成されている。
メインコントローラ３０は内部にＣＰＵ（中央処理装置）を有し、プログラムに従って本形態の自動写真販売機１の駆動制御を行い、例えば所定の条件に基づき、プリント用紙１枚分の印刷情報をプリンタユニット２３のいづれかへ分配制御する。
【００２４】
また、メインコントローラ３０には記憶部３１が設けられ、この記憶部３１は前述のメインコントローラ３０が行う制御プログラムを記憶する。また、その他、ユーザ情報、印刷条件情報、及びプリンタユニット２３の情報等が記憶され、必要に応じて後述するセンターへ転送される。また、上記記憶部３１には発信者判別装置９６が接続され、更に発信者判別装置９６には予め登録した発信者の情報記録部９７が接続されている。
【００２５】
また、メインコントローラ３０には、ディスプレイ制御部３２、タッチパネル制御部３３、キー入力部３４、カードインターフェイス（以下、カードＩ／Ｆで示す）３５、料金管理部３６、レシートインターフェイス（以下、レシートＩ／Ｆで示す）３７、送受信部３８、及びプリンタユニット２３が接続されている。
【００２６】
ディスプレイ制御部３２は前述の表示／操作部（ディスプレイ＆タッチパネル）２及び補助ディスプレイ部に表示する表示情報の出力制御を行い、メインコントローラ３０から出力される表示情報を表示／操作部（ディスプレイ＆タッチパネル）２及び補助ディスプレイ部に表示制御する。
【００２７】
また、タッチパネル制御部３３はユーザによるタッチパネルの操作に従った操作信号をメインコントローラ３０に出力制御する。
また、キー入力制御部３４はユーザによるキー入力部３の操作に従った操作信号をメインコントローラ３０に出力制御する。また、カードＩ／Ｆ３５は、前述の各記録メディア挿入口４に挿入される各記録メディアからデジタル画像情報を読み出し、メインコントローラ３０へ出力制御するインターフェイスである。
【００２８】
また、料金管理部３６は前述の料金挿入口７から入金された金額を計算し、また携帯電話機５０が指定する印刷画像や印刷枚数から料金を計算し、金額表示部６に表示する。これらの表示はユーザに料金を知らせる目的で表示され、実際の料金データは上記送受信部３８からセンタ３９ｃに送られる。
【００２９】
尚、レシートＩ／Ｆ３７は、メインコントローラ３０から送られる所定の情報をレシート印刷部４４へ出力制御し、またレシート読み出し部４５が読み出した情報をメインコントローラ３０へ出力制御するインタフェースである。尚、上記レシート印刷部４４は、例えばサーマルプリンタである。また、上記構成はブルートゥース（ＢＬＵＥＴＯＯＴＨ）通信を使用した場合においても、料金精算結果を紙に残したい場合に利用する。
【００３０】
送受信部３８は、例えばＰＨＳ回線を用いて基地局３９ａと情報の授受を行い、基地局３９ａは公衆回線網３９ｂ等を用いてセンター３９ｃと接続されている。センター３９ｃは、例えばインターネットのホームページサーバでもあり、後述する携帯電話機からアクセスできるサイトを有する。
【００３１】
尚、自動写真販売機１は、図２に示すように８台のプリンタユニット２３−１〜２３−８を備え、各プリンタユニット２３−１〜２３−８は同じ構成である。例えば、各プリンタユニット２３−１〜２３−８は、コントロール部４０、Ｉ／　Ｆ（インターフェース）４１、印刷データ記憶部４２、印刷メカ部４３で構成されている。
【００３２】
また、同図に示すように、写真印刷自動販売機１は携帯電話機５０との間でブルートゥース（ＢＬＵＥＴＯＯＴＨ）通信を行い、図３は上記携帯電話機５０の構成を説明する図である。
携帯電話機５０はＣＣＤカメラ（以下、単にカメラで示す）５１を搭載し、キー操作部５２、ディスプレイ５３、及びアンテナ５４で構成され、内部にカメラ処理部及び送受信部を備える。尚、携帯電話機５０はＧＰＳ（ｇｌｏｂａｌ　ｐｏｓｉｔｉｏｎｉｎｇ　ｓｙｓｔｅｍ　）発信機能付き携帯電話機であり、内部にＧＰＳ処理部も備える。ここで、ＧＰＳ処理部は位置情報確認部、及びナビゲーションルート作成部で構成されている。
【００３３】
尚、図４は上記構成の携帯電話機５０も含めた本例の写真印刷自動販売システムの全体システム図であり、前述のセンター３９ｃは決済サイトでもあり、決済サイトサーバを有すると共に、後述する情報を記憶するデータベース３９ｃ’を有する。また、インターネット等のネットワーク５９を介してこのサーバと写真印刷自動販売機１が接続されている。また、ネットワーク５９には信販会社６１や銀行６２の、例えばデータセンターも接続され、後述する与信等に使用される。
【００３４】
次に、本例の処理動作を説明する。
図５は本例の処理動作を説明するフローチャートである。尚、本例の場合、同図に示す（１）〜（ｎ）の順に処理を行うものとする。ここで、（１）は例えば現金投入によるプリント発注依頼を示し、（２）は例えば携帯電話Ａのプリント発注依頼を示し、（３）は例えば携帯電話Ｂのプリント発注依頼を示し、以下　（ｎ）は例えば携帯電話ｎのプリント発注依頼を示す。
【００３５】
ここで、上記（２）、（３）、（ｎ）の発注依頼は、ブルートゥース（ＢＬＵＥＴＯＯＴＨ）通信を使用して行うものであり、例えば以下のようにして行う。先ず、所定のキーを操作してディスプレイ５３に図６に示すメニュー表示を行う。次に、数値キーを操作して希望のメニューを選択する。すなわち、プリントの選択、プリント枚数の指定、支払い方法の指定を行う。この情報は、前述の記憶部３１に記憶される。
【００３６】
ここで、図７は記憶部３１にデータが記憶された状態を示す図である。同図に示すように、記憶部３１には上記発注依頼によって対応する情報が記憶されている。例えば、３１ａは上記（２）のプリント発注依頼の情報であり、３１ｂは上記（３）のプリント発注依頼の情報であり、３１ｃは上記（ｎ）のプリント発注依頼の情報である。
【００３７】
先ず、判断（以下、図５においてステップ（以下、Ｗで示す）１）において、Ｘ人のプリント発注依頼をパスワード付きで受けたか判断する。ここで、上記（１）の発注依頼は現金投入によるものであり（Ｗ１がＮＯ）、現金投入受付を確認してプリントを行い（Ｗ２）、プリント待機状態とする（Ｗ３）。
【００３８】
一方、上記（２）の携帯電話Ａのプリント発注依頼の場合は、判断（Ｗ１）がＹＥＳであり、先ず第１の依頼者のプリント処理を完了したか判断する（Ｗ４）。このプリント処理はブルートゥース（ＢＬＵＥＴＯＯＴＨ）通信によるものであり、携帯電話機５０によって指定された印刷画像を指定された枚数印刷処理する。
【００３９】
この処理が完了すると（Ｗ４がＹＥＳ）、次に第２の依頼者のプリント処理を判断する（Ｗ５）。そして、このプリント処理が完了していれば（Ｗ５がＹＥＳ）、更に第３の依頼者のプリント処理を判断する（Ｗ６）。また、各依頼者のプリント処理の完了と共に、各依頼者のプリントを専用ストッカーに分別したか判断する（Ｗ７〜Ｗ９）。
【００４０】
ここで、各依頼者のプリントが専用ストッカーに分別されていれば、更に発注依頼があるか判断し（Ｗ１０）、プリント待機状態とする（Ｗ３）。上記印刷処理によって作成された写真出力は、前述の取り出し口１２に出力される。
また、上記印刷枚数に基づく料金は前述の料金管理部３６によって管理され、メインコントローラ３０からセンター３９ｃに送られる。センター３９ｃには予め登録されたユーザ情報、及び使用する携帯電話機５０の情報が記録され、写真印刷自動販売機１から送信される識別情報からデータベースを検索し、上記印刷枚数に基づく料金を当該ユーザの口座から引き落とす。
【００４１】
例えば、センター３９ｃのサーバには、ＩＤ（携帯電話の番号）をベースにして、ユーザ（登録者）のデータベースが登録保持されている。予め利用登録が行われていると、このデータベースに申告登録した支払い口座が指定されており、上記決済の際、携帯電話機５０の識別情報からユーザを検索し、料金決済を行う。
【００４２】
尚、写真印刷自動販売機１が印刷処理を行う際にも、サーバは上記指定の銀行口座や信販会社のクレジット口座を紹介して支払いが可能か確認し、可能な場合上記印刷処理を実行する。すなわち、写真印刷自動販売機１はブルートゥース（ＢＬＵＥＴＯＯＴＨ）通信によって携帯電話機５０から受けたＩＤ情報と、決済サーバーから送られてきたＩＤとを照合し、一致すれば支払い可能であり、印刷処理を開始する。
【００４３】
このように構成することにより、携帯電話機５０を使用して自動的に写真印刷自動販売機１に写真印刷処理を行わすことができ、しかも料金の決済もセンター３９ｃのサーバを通じて行うことができ、極めて有効なシステムとすることができる。
【００４４】
尚、上記実施形態の説明ではカメラ５１で撮影した画像データを写真印刷自動販売機１に送信する構成としたが、例えば図８に示すようにメモリースティックのようなメディア５６を用い、デジタルカメラ５７で撮影した画像データをメディア５６に記憶し、携帯電話機５０にメディア５６を差し込んで、プリンタ画像を選択指定して写真印刷自動販売機１に送信する構成としてもよい。
【００４５】
また、上記実施形態の説明では携帯電話機５０を使用したが、ＰＤＡ（Ｐｅｒｓｏｎａｌ　Ｄｉｇｉｔａｌ　Ａｓｓｉｓｔａｎｔ）や、他の携帯端末機器を使用する構成としてもよい。
また、ブルートゥース（ＢＬＵＥＴＯＯＴＨ）通信に限らず、赤外線通信によって写真印刷自動販売機１を駆動する構成としてもよい。
【００４６】
また、携帯端末機器の所有者本人以外の者が勝手に携帯端末機器を用いて、本例の処理を行うことを防止するため、携帯電話には指紋認証機能が装備されている構成としてもよい。この場合、予め指紋を登録し、この指紋が認証されない限り印刷処理を行うことができない構成である。尚、この場合、携帯電話の外装の一部に指紋認証するセンサーが取り付けてある構成とする。
＜第２の実施形態＞
次に、本発明の第２実施形態について説明する。
【００４７】
本例は、例えばあるメーカーのデジタルカメラを購入した場合、同じメーカー、若しくは特定の写真印刷自動販売機にて印刷しようとすれば、所定枚数まで無料で印刷できるような構成とし、デジタルカメラの販売促進や特定の企業の写真印刷自動販売機への新規ユーザーの獲得を図るものである。
【００４８】
本例の場合、先ず図１１に示すように、例えばデジタルカメラ６５で撮影したデジタル画像データを記録した記録メディア６６を媒体とし、該媒体にＤＰＯＦ（Ｄｉｇｉｔａｌ　Ｐｒｉｎｔ　Ｏｒｄｅｒ　Ｆｒｏｍａｔ）ファイルを登録する。このＤＰＯＦファイルは、「ヘッダー部６７」と「ジョブ記述部６８」で構成され、前者には［ユーザ登録ＩＤ」や「カメラ機種名」等が記述され、後者は「自動プリントファイル」、「自動送信ファイル」、「自動再生ファイル」が記述されている。以下、具体的に説明する。
【００４９】
図１２は本例の処理を説明するフローチャートである。
先ず、写真印刷自動販売機１に記録メディア６６を挿入する（ステップ（以下、図１２においてＳＴで示す）１）。写真印刷自動販売機１のメインコントローラ３０は、記録メディア６６に記録された記録データ（撮像データ）を読み取り、上記ＤＰＯＦデータであるか判断する（ＳＴ２、ＳＴ３）。
【００５０】
ここで、ＤＰＯＦデータでなければ（ＳＴ３がＮＯ）、ユーザは全ての記録データ、又は選択した記録データを指定する（ＳＴ４）。一方、ＤＰＯＦデータであれば（ＳＴ３がＹＥＳ）、「カメラ機種名」が写真印刷自動販売機１の記憶部３１の「特殊対応データ」と一致するか判断する（ＳＴ５）。この判断は、前述の「ヘッダー部６７」に記述された「カメラ機種名」の情報を読み出し、一致の判断を行う。
【００５１】
ここで、「カメラ機種名」の情報が、記憶部３１に記憶された「特殊対応データ」と一致しない場合には後述する処理（ＳＴ１７）以降に移行するが、一致する場合にはセンターと交信し、無料印刷残数情報を取得する（ＳＴ６）。
次に、無料印刷枚数Ｎ枚が０以上であるか判断する（ＳＴ７）。ここで、例えば無料印刷枚数Ｎ枚が３０枚であれば、判断（ＳＴ７）はＹＥＳであり、ＤＰＯＦによる印刷指定枚数Ｍが上記Ｎ枚より大きいか判断する（ＳＴ８）。
【００５２】
ここで、印刷指定枚数Ｍが上記Ｎ枚より小さければ（ＳＴ８がＮＯ）、Ｍ枚の印刷処理は全て無料であり、印刷を実行する。この場合、例えば「Ｍ枚印刷します。Ｎ枚まで無料で印刷できます」との表示を行う（ＳＴ９、ＳＴ１０）。例えば、Ｍ枚が２０枚であれば、「２０枚印刷します。３０枚まで無料で印刷できます」との表示を行う。
【００５３】
また、センターでは当該デジタルカメラ６５の無料印刷枚数Ｎ枚のデータを
Ｎ＝Ｎ−Ｍの計算によって変更する（ＳＴ１１）。例えば、上記例の場合、新たなＮは、Ｎ＝１０（３０−２０）となる。
一方、前述の判断（ＳＴ８）において、印刷指定枚数Ｍが上記Ｎ枚より大きければ（ＳＴ８がＹＥＳ）、Ｎ枚までの印刷処理は無料であり、以後有料となる。この場合、例えば「Ｍ枚印刷します。Ｎ枚まで無料で印刷できます」との表示を行い、（Ｍ−Ｎ）枚文分の料金表示を行う（ＳＴ１２、ＳＴ１３）。例えば、Ｍ枚が３５枚であれば、「３５枚印刷します。３０枚まで無料で印刷できます」との表示と共に、５枚分の料金表示を行う。
【００５４】
その後、料金を投入すると印刷処理を実行し（ＳＴ１４、ＳＴ１５）、センターでは当該デジタルカメラ６５の無料印刷枚数Ｎ枚のデータを０に変更する（ＳＴ１６）。
尚、ＤＰＯＦデータではない場合、ユーザは全ての記録データ、又は選択した記録データの指定を行い（ＳＴ４）、例えば「Ｍ枚印刷します」の表示を行うと共に、Ｍ枚の料金表示を行う（ＳＴ１７、ＳＴ１８）。そして、料金投入を行い、印刷処理を実行する（ＳＴ１９、ＳＴ２０）。
【００５５】
また、ＤＰＯＦデータであるが「カメラ機種名」の情報が異なる場合（ＳＴ５がＹＥＳ）、又は「カメラ機種名」は一致するが無料印刷枚数Ｎ枚が０の場合も（ＳＴ７がＹＥＳ）、上記と同様に処理する。
このように構成することにより、所定枚数まで無料で印刷でき、デジタルカメラの販売促進、及び写真印刷自動販売機への新規ユーザーの獲得を行うことができる。
【００５６】
尚、別の実施例として、ユーザー登録のＩＤと「カメラ機種名」をユーザーセンターに登録しておき、該当するメモリーカードが挿入された場合に自動的に後払いでクレジット決済する場合が考えられる。以下、図１３に示すフローチャートに従って説明する。
【００５７】
本例においても、先ず写真印刷自動販売機１に記録メディア６を挿入し（ステップ（以下、図１３においてＳＴＰで示す）１）、記録メディア６６に記録された記録データ（撮像データ）を読み取り、上記ＤＰＯＦデータであるか判断する（ＳＴＰ２、ＳＴＰ３）。
【００５８】
ここで、ＤＰＯＦデータでなければ（ＳＴＰ３がＮＯ）、ユーザは全ての記録データ、又は選択した記録データを指定する（ＳＴＰ４）。一方、ＤＰＯＦデータであれば（ＳＴＰ３がＹＥＳ）、「カメラ機種名」が写真印刷自動販売機１の記憶部３１の「特殊対応データ」と一致するか判断する（ＳＴＰ５）。この判断は、前述の「ヘッダー部６７」に記述された「カメラ機種名」の情報を読み出し、一致の判断を行う。
【００５９】
ここで、「カメラ機種名」の情報が、記憶部３１に記憶された「特殊対応データ」と一致しない場合には後述する処理（ＳＴＰ１０）以降の処理に移行するが、一致する場合にはセンターと交信し、当該カメラに関して後払い登録が行われているか確認する（ＳＴＰ６）。
【００６０】
そして、後払い登録が行われていなければ後述する処理を行うが（ＳＴ７がＮＯ）、後払い登録が行われていれば（ＳＴ７がＹＥＳ）、「Ｍ枚印刷します。料金は後払いです」との表示を行い、印刷処理を実行する（ＳＴＰ８、ＳＴＰ９）。
【００６１】
尚、ＤＰＯＦデータではない場合（ＳＴＰ３がＮＯ）、又はＤＰＯＦデータであるが「カメラ機種名」の情報が異なる場合（ＳＴＰ５がＮＯ）、又は後払い登録済みではない場合も（ＳＴ７がＮＯ）、例えば「Ｍ枚印刷します」の表示を行うと共に、Ｍ枚の料金表示を行い（ＳＴＰ１０、ＳＴＰ１１）、更に料金投入を行うと、印刷処理を実行する（ＳＴＰ１２、ＳＴＰ１３）。
【００６２】
尚、上述の例は、カメラの機種名を識別して無料印刷サービスを行う例を示したが、利用された記録メディアの種別などを識別し、特定の記録メディアの利用に対して無料印刷サービスを実施することも可能である。
また、カメラの機種名や記録メディアの種別等を識別し、ポイント制を導入し、ポイント加算によって無料印刷等の利益を受ける構成としてもよい。
【００６３】
【発明の効果】
以上説明したように、本発明によれば携帯電話を使用して写真印刷自動販売機に印刷処理を行わせることができ、しかも料金の決済もセンターのサーバを通じて行うことができ、極めて有効なシステムとすることができる。
【００６４】
また、本発明によれば写真印刷自動販売機のディスプレイを見ながら携帯電話の操作入力により発注依頼情報を写真印刷自動販売機に入力することができ、極めて操作性のよいシステムとすることができる。更に、顧客が写真印刷自動販売機に直接発注依頼情報を入力している際に、他の顧客が携帯電話から別の発注依頼情報を入力し、複数の発注依頼情報を写真印刷自動販売機に格納して順次印刷処理を行うことができ、顧客の多い場合でも待たせることがなく、極めて効率的な発注受付処理ができるシステムを構築できる。
【図面の簡単な説明】
【図１】本発明で使用する写真印刷自動販売機の外観構成を示す図である。
【図２】自動写真販売機内部のシステム構成を説明する図である。
【図３】携帯電話機の構成を説明する図である。
【図４】本例の写真印刷自動販売システムのシステム構成図である。
【図５】本例の処理動作を説明するフローチャートである。
【図６】携帯電話機のディスプレイの表示状態を示す図である。
【図７】データベースの構成を説明する図である。
【図８】第１実施形態の変形例を示す図である。
【図９】第２実施形態の構成例を示す図である。
【図１０】第２の実施形態を説明するフローチャートである。
【図１１】第２の実施形態の変形例を説明するフローチャートである。
【符号の説明】
１　写真印刷自動販売機
２　表示／操作部（ディスプレイ＆タッチパネル）
３　キー入力部
４　記録メディア挿入口
５　ＬＥＤ
６　金額表示部
７　料金挿入口７
８　中止ボタン
９　レシート挿入口
１０　レシート排紙口
１１　料金返却口
１２　取り出し口
１３　受信部
２３　プリンタユニット
３０　メインコントローラ
３１　記憶部
３２　ディスプレイ制御部
３３　タッチパネル制御部
３４　キー入力部
３５　カードインターフェイス
３６　料金管理部
３７　レシートインターフェイス
３８　送受信部
５０　携帯電話機
５６　メディア
５７　デジタルカメラ
５９　ネットワーク
９６　発信者判別装置
９７　情報記録部
【図１】
2004086886.tif 000003
【図２】
2004086886.tif 000004
【図３】
2004086886.tif 000005
【図４】
2004086886.tif 000006
【図５】
2004086886.tif 000007
【図６】
2004086886.tif 000008
【図７】
2004086886.tif 000009
【図８】
2004086886.tif 000010
【図９】
2004086886.tif 000011
【図１０】
2004086886.tif 000012
【図１１】
2004086886.tif 000013